(57)【要約】本発明の充電式角質除去器具は、本体と、本体の開口を覆うプレートと、プレートの内側下部と接続されたモータであって、モータシャフトを備えたモータと、このモータシャフトの周りに嵌合されてモータシャフトの回転に伴い回転されることで、その中に使用者の足から分離された角質を集める角質収納部と、この角質収納部の上面を覆い、使用者の足の角質表面に接触して、角質収納部とともに回転して使用者の角質を除去するヤスリかけキャップと、プレートの上面に挿入された、円筒形状に突出したガイド部材であって、ヤスリかけキャップによって除去されている角質を外部に飛び散らせることなしに角質収納部に集めることができるように、前記角質収納部及び前記ヤスリかけキャップの外周部から所定距離を隔ててバリアを形成するガイド部材と、モータの下部に取り付けられた充電器と、オン及びオフ状態を制御するオン／オフ装置と、を備える。【選択図】なし
2010540018.tif 000002
【特許請求の範囲】
【請求項１】
一方の側部が開口した、広がった管形状を有する本体と、
前記本体の開口の内周に嵌合されて前記開口を覆うプレートと、
締結部材を介して前記プレートの内側下部に接続されたモータであって、断面半円形状を有するモータシャフトを備えたモータと、
前記モータの前記モータシャフトの周りに嵌合されて前記モータシャフトの回転に伴い回転されることによって、その中に使用者の足から分離された角質を集める、角質収納部と、
前記角質収納部の上面を覆い、使用者の足の角質表面に接触して前記角質収納部とともに回転して使用者の前記角質を除去する、ヤスリかけキャップと、
前記プレートの上面に挿入され、円筒形状に突出したガイド部材であって、前記ヤスリかけキャップによって除去されている前記角質を外部に飛び散らせることなしに前記角質収納部に集めることができるように、前記角質収納部及び前記ヤスリかけキャップの外周部から所定距離を隔ててバリアを形成するガイド部材と、
前記モータの下部に取り付けられた充電器と、
オン及びオフ状態を制御するように、その一端で前記充電器に接続され及び他端で前記本体の一側部に接続されたオン／オフ装置と、を備えることを特徴とする充電式角質除去器具。
【請求項２】
前記プレートは、
中央部に孔を有する平板形状を有する水平プレートと、
前記水平プレートの外周部で下向きに直角に突出し、前記水平プレートの下端の外周部に形成された突起を含む、下方フランジと、
前記水平プレートに対して上向きに突出した上方フランジと、を備えることを特徴とする請求項１に記載の充電式角質除去器具。
【請求項３】
前記上方フランジは、
前記本体の前記開口の上面に配置された外周固定突起と、
前記外周固定突起の上部の内周の一方の側部及び他方の側部にそれぞれ形成された丸型内向き突起及び角型内向き突起と、
その外周部に形成された固定突起と、を備えることを特徴とする請求項２に記載の充電式角質除去器具。
【請求項４】
Ｏ−リングが、前記プレートの前記上方フランジの前記外周固定突起の下端面に挿入されて、前記プレートの前記水平プレートの下面と前記モータの上面との間にあることを特徴とする請求項３に記載の充電式角質除去器具。
【請求項５】
前記角質収納部、前記ヤスリかけキャップ、及び、前記ガイド部材を覆うように、前記プレートの前記上方フランジの上方外周部に形成された前記固定突起に係合して取り付けられるカバー部材をさらに備えることを特徴とする請求項３に記載の充電式角質除去器具。
【請求項６】
前記角質収納部は、
その中央に形成された円筒状収納空間と
円筒状に形成され、前記円筒状収納空間の周囲に所定距離を隔てて配置された、円筒状パーティションと、
前記円筒状収納空間及び前記円筒状パーティションの間に半径方向に区画されて、各々の角部が曲面状である、複数の収納空間と、
半円形状を有する締結凹部であって、半円形状の前記モータシャフトが当該締結凹部に挿入されて当該締結凹部を回転させるように、前記円筒収納空間の下面から下向きに突出した締結凹部と、
前記やすりかけキャップの丸型締結部に係合するために、前記円筒状パーティションの下側の周囲に沿って突出したフランジに形成された凹形切り欠きと、を備えることを特徴とする請求項１に記載の充電式角質除去器具。
【請求項７】
半円形状の前記締結凹部に挿入された弾性バネと、前記モータの前記モータシャフトに対して作用する磁力を発生させるように前記円筒状収納空間の内側下端部に挿入されて取り付けられたマグネットとをさらに備えることを特徴とする請求項６に記載の、充電式角質除去器具。
【請求項８】
前記ヤスリかけキャップは、前記円筒状収納空間及び前記複数の収納空間の上面を覆うとともに、
このヤスリかけキャップは、
前記ヤスリかけキャップの上面に上向きに形成された複数の三角突起であって、各三角突起の頂点が前記モータシャフトの回転方向に向くように円周方向に一様の間隔で配列され、前記ヤスリかけキャップの上面の中心に対して同心状に配列された複数の群で構成された複数の三角突起と、
複数の貫通孔であって、この複数の貫通孔を通じて前記角質収納部に除去されている前記角質を集めることができるように、前記ヤスリかけキャップの中心から一様の間隔で円周方向に形成された複数の貫通孔と、を備えることを特徴する請求項６に記載の充電式角質除去器具。
【請求項９】
前記ガイド部材は、
前記プレートの上面に配置された第１ガイド部材であって、前記プレートの前記丸型内向き突起及び前記角型内向き突起の下端部に係合するための、この第１ガイド部材の外周部に形成された丸型外向き突起及び角型外向き突起、並びに、上方固定突起を含む第１ガイド部材と、
前記第１ガイド部材の内周部に取り付けられた環状バネと、
前記環状バネの弾性によって上下に動かされる第２ガイド部材であって、前記第１ガイド部材の前記上方固定突起を受けるようにその下方フランジに形成された凹部を含む第２ガイド部材と、を備えることを特徴とする請求項３に記載の充電式角質除去器具。
【請求項１０】
前記充電器は、
充電池と、
前記充電池の上部を覆うプロテクタと、
前記充電池の両側部及び下面を覆う保護カバーと、
前記プロテクタの下部及び前記充電池の上部の間に取り付けられた保護回路であって、所定電圧及び電流を安定的に維持して過負荷などを防止するように、前記オン／オフ装置に接続された保護回路と、
前記保護カバーの下面で前記本体に対して下向きに突出した電極であって、ゴムプレートがこの電極と前記保護カバーとの間に介在し、充電を達成するために電力供給ラインに挿入される、電極と、を備えることを特徴とする請求項１に記載の充電式角質除去器具。
【請求項１１】
前記電極は、締結部材によって接続された絶縁中間体に組み込まれ、
Ｏ−リングは、水の浸入を防止するように、前記本体の下端部の内面と前記絶縁中間体のフリンジ部の下面との間に挿入されていることを特徴とする請求項１０に記載の充電式角質除去器具。
【請求項１２】
前記オン／オフ装置は、
前記モータ、前記保護回路、発光ダイオード（ＬＥＤ）及び前記電極を制御するように、前記本体の内側面に取り付けられた回路基板と、
この角質除去器具のオン及びオフ状態を制御するスイッチと、
前記スイッチ及び前記ＬＥＤを覆う第１保護プレートと、
前記第１保護プレートを保護する第２プレートと、を備えることを特徴とする請求項１１に記載の充電式角質除去器具。
【請求項１３】
除毛機能を有する除毛器具が前記ヤスリかけキャップの上面にさらに取り付けられ、
この除毛器具は、
前記ヤスリかけキャップの上面全体を覆う両面接着ステッカと、
前記両面接着ステッカの上面に取り付けられた弾性中間体と、
前記両面接着ステッカを介して前記弾性中間体の上面に取り付けられたポリッシャと、を備えることを特徴とする請求項１に記載の充電式角質除去器具。
【請求項１４】
除毛機能を有する除毛器具が前記ヤスリかけキャップの上面にさらに取り付けられ、
この除毛器具は、
前記ヤスリかけキャップの上面全体を覆うように磁力によって取り付けられたゴムマグネットと、
ゴムマグネットの上面に取り付けられた両面接着ステッカと、
前記両面接着ステッカの上面に取り付けられたポリッシャと、を備えることを特徴とする請求項１に記載の充電式角質除去器具。
【請求項１５】
前記ヤスリかけキャップの上面に接着ステッカによって取り付けられている、除毛機能を有するポリッシャをさらに備えることを特徴とする請求項１に記載の充電式角質除去器具。
【請求項１６】
前記ガイド部材６０は、第１ガイド部材６１、バネ６２及び第２ガイド部材６３の代わりに、弾性を有する部材を有する一体型の本体を備えることを特徴とする請求項９に記載の充電式角質除去器具。
【発明の詳細な説明】
【技術分野】
【０００１】
本発明は、通常、足底などに生成された角質（硬結皮膚）を除去するための、充電式角質（硬結皮膚）除去器具に関する。
【背景技術】
【０００２】
通常、我々が靴を履いて歩くと、又は、止まった状態でさえ靴の硬い部分に足を長時間接触させると、足の肌の一部が硬化して足に角質を形成する。このような角質は、時間とともに厚くなり、酷い場合にはそれらは裂けてしまう。この裂症が生じると、痛みを生じるだけでなく、裂け目から細菌が侵入して感染症を引き起こす。
【０００３】
角質を除去するために図１２に示すような角質除去ツールが広く使用されている。さらに詳細に図１２を説明すると、使用者は、ハンドル２００を保持して本体２１０の片方又は両方の側部に形成されたヤスリ板２２０で角質をこすり落とすことによって、角質を除去する。しかしながら、この種の従来方法は、反復的な手動操作を要求するので、使用者は角質を除去するのに簡単に疲れてしまう。さらに、従来の角質除去ツールは、角質が全方向に飛び散るので衛生的でなく、また、携帯使用するのにも適しておらず、カバーなしでは見た目も悪い。
【発明の概要】
【発明が解決しようとする課題】
【０００４】
従って、本発明は上記問題の観点からなされ、本発明の目的は、充電されたモータの回転力を用いて角質を除去することが可能で、その携帯性を改善可能で、内部に水が浸入するのを防止することが可能で、足表面に接触するためのヤスリ板の構造において改善可能で、及び、ヤスリ板に取り付けられた除毛器具によって除毛機能が加えられた角質除去器具を提供することにある。
【課題を解決するための手段】
【０００５】
本発明の実施形態に従って、上記及び別の課題が充電式角質除去器具の提供によって解決可能である。この充電式角質除去器具は、一方の側部が開口した、広がった管形状を有する本体と、前記本体の開口の内周部に嵌合されて前記開口を覆うプレートと、締結部材を介して前記プレートの内側下部に接続されたモータであって、断面半円形状を有するモータシャフト（軸部）を備えたモータと、前記モータの前記モータシャフトの周りに嵌合されて前記モータシャフトの回転に伴い回転されることにより、その中に使用者の足から分離された角質を集める角質収納部と、前記角質収納部の上面を覆い、使用者の足の角質表面に接触して、前記角質収納部とともに回転して使用者の前記角質を除去するヤスリかけキャップと、前記プレートの上面に挿入された、円筒形状に突出したガイド部材であって、前記ヤスリかけキャップによって除去されている前記角質を外部に飛び散らせることなしに前記角質収納部に集めることができるように、前記角質収納部及び前記ヤスリかけキャップの外周部から所定距離を隔ててバリア（障壁）を形成するガイド部材と、前記モータの下部に取り付けられた充電器と、スイッチのオン及びオフ状態を制御するように、その一端で前記充電器に接続され及び他端で前記本体の一側部に接続されたオン／オフ装置と、を備える。
【発明の効果】
【０００６】
上に説明した充電式角質除去器具に従って、角質の除去は、改善された携帯性とともに、充電されたモータの回転力を使用して達成することができる。さらに、水が角質除去器具に浸入することを防止することができる。足表面に接触するヤスリかけキャップの上面には複数の三角形の突出部が形成されるので、角質除去の効果を大きく改善することができる。さらに、除毛器具をヤスリかけキャップに加えることで、除毛機能をもまた達成することができる。
【０００７】
本発明の上述及び別の課題、特徴及び別の利点は、添付図面と併せて、以下の詳細に説明から、より明確に理解されよう。
【図面の簡単な説明】
【０００８】
【図１】本発明の実施形態に従う、充電式角質除去器具の縦断面図。
【図２】本発明の実施形態に従う、充電式角質除去器具の分解斜視図。
【図３】非動作時の充電式角質除去器具のヘッド部の断面図。
【図４】動作時の充電式角質除去器具のヘッド部の断面図。
【図５】充電式角質除去器具のガイド部材の分解斜視図。
【図６】充電式角質除去器具の角質収納部の斜視図。
【図７】充電式角質除去器具の角質収納部の底側部の斜視図。
【図８】充電式角質除去器具のヤスリかけキャップの（上方からの）平面図。
【図９】図８のＡ−Ａ断面図。
【図１０】充電式角質除去器具のヤスリかけキャップの上面に取り付けられた除毛器具の断面図。
【図１１】充電式角質除去器具のヤスリかけキャップの上面に取り付けられた別の除毛器具の断面図。
【図１２】従来の角質除去ツールの斜視図。
【発明を実施するための形態】
【０００９】
図１は、本発明の実施形態に従う、充電式角質除去器具の縦断面図である。図２は、充電式角質除去器具の分解斜視図である。図３は、非動作時の充電式角質除去器具のヘッド部の断面図である。図４は、動作時の充電式角質除去器具のヘッド部の断面図である。図５は、充電式角質除去器具のガイド部材の分解斜視図である。図６は、充電式角質除去器具の角質収納部の斜視図である。図７は、充電式角質除去器具の角質収納部の底面の斜視図である。図８は、充電式角質除去器具のヤスリかけキャップの（上方からの）平面図である。図９は、図８のＡ−Ａ断面図である。
【００１０】
図に示すとおり、本発明の実施形態に従った充電式角質除去器具は、一方の側部が開口した、広がったチューブ形状を有する本体１０と、本体１０の開口の内周部に嵌合されて開口を覆うプレート２０と、締結部材９９を介してプレート２０の内側下部に接続されたモータ３０であって、断面半円形状を有するモータシャフト３１を備えたモータ３０と、使用者の足から除去された角質を収納するように、モータ３０のモータシャフト３１の周りに嵌合され、モータシャフト３１の回転に従って回転する角質収納部４０と、足の角質表面に接触して角質収納部４０とともに回転して角質を除去するように、角質収納部４０の上面を覆うヤスリかけキャップ５０とを備える。充電式角質除去器具は、ヤスリかけキャップ５０によって除去されている角質を外部に飛び散らせることなしに角質収納部４０に集めることができるように、プレート２０の上面に挿入されたガイド部材６０をさらに備える。ガイド部材６０は、円筒形状に突出して、角質収納部４０及びヤスリかけキャップ５０の外周部から所定距離を隔ててバリアを形成している。さらに、充電式角質除去器具は、モータ３０の下方部に取り付けられた充電器７０と、スイッチのオン及びオフ状態を制御するように、その一端で充電器に接続され及び他端で本体１０の一側部に接続された、オン／オフ装置８０とを備える。オン／オフ装置８０は、バッテリの充電状態を表示するために、発光ダイオード（ＬＥＤ）８３を含む。
【００１１】
プレート２０は、中央部に孔を有する平面状プレートの形状をした水平プレート２１と、水平プレート２１の外周部で下向きに直角に突出した下方フランジ２２であって、水平プレート２１の下端の外周部に突起２２ａを含む下方フランジ２２と、水平プレート２１に対して上方に突出した上方フランジ２３と、を備える。
【００１２】
上方フランジ２３は、本体１０の開口の上面に配置された外周固定突起２３ａと、外周固定突起２３ａの上部の内周の一側部及び他側部にそれぞれ形成された丸型内向き突起２３ｂ及び角型内向き突起２３ｃと、その上端の外周に形成された固定突起２３ｄと、を含む。
【００１３】
Ｏ−リング９０は、プレート２０の上方フランジ２３の外周固定突起２３ａの下端に挿入される。さらに、別のＯ−リング９１は、プレート２０の水平プレート２１の下面及びモータ３０の上面の間に挿入される。
【００１４】
カバー部材１００をさらに備え、このカバー部材１００は、プレート２０の上方フランジ２３の上方外周で突出した固定突起２３ｄに係合して取り付けられて、角質収納部４０、ヤスリかけキャップ５０及びガイド部材６０を覆う。
【００１５】
角質収納部４０は、中央に形成された円筒状収納空間４１と、円筒状収納空間４１の周囲で所定の距離を隔てて配置された円筒状パーティション（隔壁）４２と、円筒状収納空間４１及び円筒状パーティション４２の間で半径方向に区画された複数の収納空間４３とを含む。収納空間４３の各角部は、収納された角質の排出を容易にするように曲面状である。さらに、半円形状を有する締結凹部４４が、円筒状収納空間４１の下面から下方に突出している。半円状のモータシャフト３１は固定凹部４４に挿入されて、固定凹部４４を回転させる。また、弾性バネ４５が固定凹部４４に挿入されている。フランジは円筒部４２の下端の外周に沿って延在して、凹形切り欠き４６は、ヤスリかけキャップ５０の丸型締結部５３に係合するためにフランジ上に形成されている。
【００１６】
マグネット４７が、モータ３０のモータシャフト３１に対して作用磁力を発生させるために、円筒状収納空間４１の内側下端部で取り付けられている。
【００１７】
ヤスリかけキャップ５０は、角質収納部４０の円筒状収納空間４１及び複数の収納空間４３の上面を覆う。複数の三角突起５１が、ヤスリかけキャップ５０の上面に上向きに形成されている。三角突起５１は、各三角突起５１の頂点がモータシャフト３１の回転方向に向くように、円周方向に一様の間隔で配列されている。
【００１８】
さらに詳細には、三角突起５１は、ヤスリかけキャップ５０の上面中心に対して同心状に配列した複数の群（ｇｒｏｕｐ）を備える。さらに、複数の貫通孔５２が、除去されている角質を角質収納部４０内に貫通孔５２を通って集めることができるように、ヤスリかけキャップ５０の中央から一様の距離で円周方向に形成されている。
【００１９】
ガイド部材６０は、プレート２０の上面に配置された第1ガイド部材６１を備え、この第1ガイド部材６１は、プレート２０の丸型内向き突起２３ｂ及び角型内向き突起２３ｃの下端部に係合するためにその外周部に形成された丸型外向き突起６１ａ及び角型外向き突起６１ｂを含む。ガイド部材６０は、第1ガイド部材６１の内周部に取り付けられた環状バネ６２と、環状バネ６２の弾性によって上下に動かされる第2ガイド部材６３とを備える。第1ガイド部材６１の上方固定突起６１ｃは、第2ガイド部材６３の下方フランジ６３ａに形成された凹部６３ｂに挿入される。ガイド部材６０はまた、第1ガイド部材６１及び第2ガイド部材６３の代わりに、シリコン又はゴムのような弾性を有する材料で一体的に製造可能である。
【００２０】
充電器７０は、充電池７１と、充電池７１の上部を覆うプロテクタ（保護具）７２と、充電池７１の側面及び下面を取り囲む保護カバー７３と、プロテクタ７２の下部及び充電池７１の上部との間に取り付けられるとともに、所定電流及び電圧を安定的に維持して過負荷などを防止するように、オン／オフ装置８０に接続された保護回路７４とを備える。その上、電極７６をさらに備え、この電極７６は、本体１０に対して下向きに保護カバー７３の下面に突出し、ゴムプレート７５は電極７６と保護カバー７３との間に介在する。電極７６は、充電することを可能にするために、電力供給ライン（図示）に挿入される。
【００２１】
電極７６は、固定部材９９によって接続された絶縁中間体７７に組み込まれている。さらに、Ｏ−リング７７ａは、角質除去器具の内部に水が浸入することを防ぐように、本体の下端部の内面と絶縁中間体７７のフランジ部の下面との間に挿入されている。
【００２２】
オン／オフ装置８０は、モータ３０、保護回路７４及び電極７６の動作を制御するように本体１０の内部側面に取り付けられた回路基板８１と、角質除去器具のオン及びオフ（動作及び非動作）状態を制御するスイッチ８２と、電池７１が充電されたときに回路基板８１の制御下で（光を）放射するＬＥＤ８３と、スイッチ８２及びＬＥＤ８３を覆う第1保護プレート８４と、第1保護プレート８４を保護する第2保護プレート８５とを備える。
【００２３】
図１０は断面図であって、本発明の実施形態に従って、除毛器具が充電式角質除去器具のヤスリかけキャップ５０の上面に加えられている。図１１は、ヤスリかけキャップ５０の上面に取り付けられた別の除毛器具を示す断面図である。
【００２４】
図１０に示すとおり、除毛機能を有する除毛器具１１０は、ヤスリかけキャップ５０の上面に取り付けられている。除毛器具１１０は、ヤスリかけキャップ５０の上面全体を覆う両面接着ステッカ１１１と、両面接着ステッカ１１１の上面に取り付けられた弾性中間体１１２と、両面接着ステッカ１１１を介して弾性中間体１１２の上面に取り付けられたポリッシャ（研磨部）１１３とを備える。
【００２５】
ここに、弾性中間体１１２は、スポンジのような所定の弾性を有する材料で形成される。
【００２６】
図１１に示すとおり、除毛器具１２０は、ヤスリかけキャップ５０の上面全体を覆うように磁力によって取り付けられたゴムマグネット１２１と、ゴムマグネット１２１の上面に取り付けられた両面接着ステッカ１１１と、両面接着ステッカ１１１の上面に取り付けられたポリッシャ１１３とを備える。
【００２７】
上記説明した構成部で、充電式角質除去器具は以下のように構成される。充電器７０は、オン／オフ装置８０に接続されるように、本体１０の開口を通して取り付けられる。モータ３０は、充電器７０の上部に取り付けられる。プレート２０の水平プレート２１は、締結部材９９によってモータ３０の上面に固定される。モータ３０のモータシャフト３１は、プレート２０の水平プレート２１の中央を通って上方に突出しており、ガイド部材６０の中央内に挿入される。第1ガイド部材６１の両側下端部に形成された丸型外向き突起６１ａ及び角型外向き突起６１ｂは、プレート２０の丸型内向き突起２３ｂ及び角型内向き突起２３ｃにそれぞれ係合する。この状態で、環状バネ６２が第1ガイド部材６１の内周に嵌合するように挿入され、第2ガイド部材６３が環状バネ６２上に配置されるように挿入される。さらに詳細には、第1ガイド部材６１の上端固定突起６１ｃが、第2ガイド部材６３の下方フランジ６３ａに形成された凹部６３ｂに挿入されて、それから回転されることで、上端固定突起６１ｃは第２個ガイド部材６３の下方フランジ６３ａの上面に分離せずに係合する。カバー部材１００は、プレート２０の固定突起２３ｄに分離可能に固定される。
【００２８】
モータシャフト３１は、円筒状収納空間４１の下面から下方に突出した半円形状を有する締結凹部４４に差し込まれて取り付けられるとき、モータシャフト３１の挿入状態は、円筒状収納空間４１の内側下端部に取り付けられたマグネット４７の磁力によって維持される。ヤスリかけキャップ５０は、突出（角質）収納部４０の上面を覆う。さらに詳細には、ヤスリかけキャップ５０から下方に突出した一対の丸型締結部５３は、突出（角質）収納部４０のフランジに形成された凹形切り欠き４６に挿入されて、所定角度回転される。それによって、丸型締結部５３はフランジの下面に係合される。
【００２９】
使用者が、充電式角質除去器具を使用して彼又は彼女の足から角質を除去したいとき、モータ３０は、初めに、オン／オフ装置に電力を供給することによって駆動される。そのとき、モータシャフト３１に接続された突出（角質）収納部４０は回転され、それによって、ヤスリかけキャップ５０の上面に形成された三角突起５１が使用者の足から角質を除去する。ヤスリかけキャップによって除去されている角質は、第2ガイド部材６３によって外部に排出せずに複数の貫通孔５２を通って角質収納部４０の収納空間４３に集められる。
【００３０】
角質収納部４０の収納空間４３に集められた角質を捨てるために、ヤスリかけキャップ５０は、丸型締結部５３が角質収納部４０のフランジの凹形切り欠き４６に合う（一致する）まで、締結方向と反対方向に回される。そして、ヤスリかけキャップ５０を上方に分離することができ、集められた角質を捨てることができる。
【００３１】
本発明の好ましい実施形態が説明の目的で開示されたが、当業者にとって、特許請求の範囲に開示された発明の技術的範囲及び思想から外れることなく、様々な改変、付加、及び置換が可能であることは明らかである。
【図１】
2010540018.tif 000003
【図２】
2010540018.tif 000004
【図３】
2010540018.tif 000005
【図４】
2010540018.tif 000006
【図５】
2010540018.tif 000007
【図６】
2010540018.tif 000008
【図７】
2010540018.tif 000009
【図８】
2010540018.tif 000010
【図９】
2010540018.tif 000011
【図１０】
2010540018.tif 000012
【図１１】
2010540018.tif 000013
【図１２】
2010540018.tif 000014
【国際調査報告】
2010540018.tif 000015
2010540018.tif 000016